(57)【要約】  本発明は、使い捨てコップの内容物を全て飲んだ後に、その使い捨てコップの蓋を利用して携帯電話、スマートホンなどの個人用携帯通信機器を視聴及び聞き取るために便利な角度で傾けて据え置くことができる携帯電話スタンド兼用使い捨てコップの蓋に関するもので、水または飲料を入れることができるコップの入口に密着状態で被せられてコップの外部に水または飲料があふれないようにする蓋において、前記蓋の上面に所定の高さで収容空間を有するように突出させたヘッド部と、前記ヘッド部に個人用携帯通信機器の側辺を挿入して据え置くことができるようにヘッド部を横切って形成されたスタンド溝と、で構成され、内容物をすべて飲んだ後、使い捨てコップは捨てるが、その蓋は捨てないで個人用携帯通信機器を据え置いて動画の視聴を可能とすることで、こみの排出量を減少させることができる。
2016519025.tif 000002
【特許請求の範囲】
【請求項１】
水または飲料を入れることができるコップの入口に密着状態で被せられて前記コップの外部に水または飲料があふれないようにする蓋であって、
前記蓋の上面に所定の高さで収容空間を有するように突出するヘッド部と、
前記ヘッド部に個人用携帯通信機器の側辺を挿入して据え置くことができるように前記ヘッド部を横切って凹状に形成されたスタンド溝と、
からなることを特徴とする携帯電話スタンド兼用使い捨てコップの蓋。
【請求項２】
前記蓋のスタンド溝は、個人用携帯通信機器を視聴に適当な角度で立てる傾斜角で形成されることを特徴とする請求項１に記載の携帯電話スタンド兼用使い捨てコップの蓋。
【請求項３】
前記スタンド溝には、その入口に傾けて設置される前記個人用携帯通信機器の枠を支持する制御突起が形成されることを特徴とする請求項１または請求項２に記載の携帯電話スタンド兼用使い捨てコップの蓋。
【発明の詳細な説明】
【技術分野】
【０００１】
本発明は、使い捨てコップの内容物を全て飲んだ後に、その使い捨てコップの蓋を利用して携帯電話、スマートホンなどの個人用携帯通信機器を視聴及び聞き取るために便利な角度で傾けて据え置くことができる携帯電話スタンド兼用使い捨てコップの蓋に関する。
【背景技術】
【０００２】
高温の飲料を入れるリサイクル可能な使い捨てコップは、通常、その入口に、内容物が携帯中や運搬中にあふれないように蓋が被せられ、コップの入口周縁に密着される状態で被せられた蓋により、内容物をすべて飲むまで内容物があふれず、携帯が非常に容易である。また、リサイクル可能な材質で製造されるので、内容物をすべて飲んだ後には、ゴミ箱に捨てることで非常に使用が簡便であるという特徴がある。
【０００３】
しかし、その需要が増加しながら使い捨て品のごみの排出量も増加して、その処理方法が社会的な問題になり、ごみ量を減少させるためのリサイクル方法が要求されている実情がある。
【０００４】
また、使い捨てコップの飲料を大量に消費する若年層は、個人用携帯通信機器を動画の視聴に利用することが多く、動画を視聴する際に、手で取るか、本のように高さがある物に寄せて視聴するが、視聴途中に床が滑ったときに機器の状態を直したり手で受け取ったりしなければならない不便さなどがあった。
【発明の概要】
【発明が解決しようとする課題】
【０００５】
本発明は、前述のような問題点を解決すべくなされたもので、使い捨てコップの入口に被せた蓋を利用して個人携帯通信機器の視聴時に、使用者の視聴に適当な角度を提供して使い捨て蓋の活用度を高めることで、捨てることなく再利用してごみの排出量を減少させることを目的とする。
【０００６】
本発明の他の目的は、個人用携帯通信機器を机やテーブルなどのような平面上に置かないで蓋に傾けて据え置くことで、不意に底に降り注ぐ水または飲み物から保護することである。
【課題を解決するための手段】
【０００７】
前記のような目的を達成するための本発明は、水または飲料を入れることができるコップの入口に密着状態で被せるコップの外部に、水または飲料があふれないようにする蓋において、前記蓋の上面に所定の高さで収容空間を有するように突出させたヘッド部と、前記ヘッド部に個人用携帯通信機器の側辺を挿入して据え置くことができるようにヘッド部を横切って形成したスタンド溝と、で構成された携帯電話スタンド兼用使い捨てコップの蓋を提供する。
【０００８】
また、本発明は、前記個人用携帯通信機器を蓋の上面で視聴に適当な角度で傾けることができるようにスタンド溝が傾いて形成され、前記スタンド溝の入口に個人用携帯通信機器の枠がかかる制御突起が形成された構成を提供する。
【発明の効果】
【０００９】
本発明は、所定の温度に加熱されたコーヒーを入れた使い捨てコップの入口に被せて運ぶ途中または飲む過程でコーヒーがあふれないようにしてコーヒーを吟味する時間を延長
させる効果の他にも、蓋の上面に形成されたスタンド溝を利用して携帯電話を傾けて設置することができるようにすることで、使い捨てコップの廃棄量が減少される利点がある。
【図面の簡単な説明】
【００１０】
【図１】図１は、本発明を適用した蓋を示した斜視図である。
【図２】図２は、本発明を適用した蓋を示した側面図である。
【図３】図３は、図２の断面図である。
【図４】図４は、本発明を適用した蓋に携帯電話を据え置いた状態を示した図である。
【図５】図５は、本発明を適用した他の使い捨てコップに対する斜視図である。
【図６】図６は、本発明を適用した他の使い捨てコップに対する斜視図である。
【符号の説明】
【００１１】
１００：使い捨てコップ
１１０：入口
１２０：縁部
２００：蓋
２１０：結合部
２２０：ヘッド部
２２３：吐出口
３００：スタンド溝
３２０：制御突起
【発明を実施するための形態】
【００１２】
以下、本発明に対する構成を詳しく説明する。
【００１３】
図１は、本発明を適用した蓋の斜視図であり、本発明の使い捨てコップに結合される蓋２００は、コップの入口に密着結合される結合部２１０と、飲料を安全に飲むことができるヘッド部２２０と、からなる。
【００１４】
結合部２１０は、コップの入口の縁部に密着してコップの内容物があふれないようにするために、入口の周縁と縁部を取り囲みながら密着する構造で形成され、ヘッド部２２０には、使用者が内容物を飲む時、内容物が適当な量ずつ出るようにする収容空間が突出形成され、収容空間の一側には、吐出口２２３が形成されている。
【００１５】
蓋２００のヘッド部２２０には、吐出口２２３の対向した位置にスタンド溝３００が形成されている。
【００１６】
スタンド溝３００は、ヘッド部２２０を横切って凹状で形成され、図２の側面図に示したように、使用者が個人用携帯通信機器を視聴するためにスタンド溝３００の内面が適当な所定角度で傾けて形成されている。
【００１７】
特に、スタンド溝３００の入口には、据え置く個人用携帯通信機器の離脱を制御するための制御突起３２０が、図３の断面構成のように形成されている。
【００１８】
前記のように構成された本発明は、使い捨てコップ１００の入口１１０に結合された状態で被せて、水、コーヒー、アイスティーなどのような内容物があふれる現象を防止すると共に、内容物を飲む時に適当な量がヘッド部２２０の吐出口２２３を通じて出るようにする。
【００１９】
使用者は、内容物をすべて飲んだ状態で、蓋２００を使い捨てコップ１００の入口１１０から分離して、蓋２００のみを机またはテーブルの上に載置した後、携帯用個人通信機器の側辺を蓋２００のヘッド部２２０に形成されたスタンド溝３００に挿入する。
【００２０】
スタンド溝３００に挿入される携帯用個人通信機器は、スタンド溝３００の傾いた内面に沿って挿入され、図４の据え置き状態図のように、蓋２００において傾いた状態で立てられる。
【００２１】
この時、スタンド溝３００の入口に形成された制御突起３２０が、携帯用個人通信機器の画面の枠部分にかけられた状態になることで、傾いた機器が離脱する現象が防止される。
【００２２】
このようなスタンド溝３００が形成される蓋２００は、種類が多様であるが、一般に、図５及び図６に示したような形状からなり、本発明のスタンド溝３００は、使い捨てコップ以外にも、一般的なコップの蓋にもヘッド部２２０を突出させることでヘッド部２２０の上面に適用することができる。
【図１】
2016519025.tif 000003
【図２】
2016519025.tif 000004
【図３】
2016519025.tif 000005
【図４】
2016519025.tif 000006
【図５】
2016519025.tif 000007
【図６】
2016519025.tif 000008
【国際調査報告】
2016519025.tif 000009
2016519025.tif 000010
2016519025.tif 000011
2016519025.tif 000012